(57)【要約】【課題】案内溝の後端はバレルの開口端から延在しているため、そのバレルの断面はバレルの後端から案内溝に形成した係止部までの区間、常にＣパイプ状になるため、前記弾発体の弾撥力が強い場合には、クリップ部の基部が案内溝の後端から飛び出してしまい分解してしまう危険性があった。【解決手段】筒の先端に筆記体を出没させる開口を有し、もう一方の端部に開口を有し、軸筒の側面に略軸線方向に係止部を有する案内溝が形成され、その案内溝内を摺動する基部と軸筒の外側に釦部と、軸筒の内側に内方部とを形成した摺動駒が配置された出没式筆記具であって、前記案内溝に対して摺動駒の内方部が挿入あるいは圧入可能に形成されるとともに、案内溝の前部並びに後部が閉塞されている出没式筆記具。【選択図】  図１
2004230698.tif 000002
【特許請求の範囲】
【請求項１】
軸筒の先端に筆記体を出没させる開口を有し、もう一方の端部に開口を有し、軸筒の側面に略軸線方向に係止部を有する案内溝が形成され、その案内溝内を摺動する基部と軸筒の外側に釦部と、軸筒の内側に内方部とを形成した摺動駒が配置された出没式筆記具であって、前記案内溝に対して摺動駒の内方部が挿入あるいは圧入可能に形成されるとともに、案内溝の前部並びに後部が閉塞されていることを特徴とする出没式筆記具。
【請求項２】
前記摺動駒の釦部にクリップ部を形成したことを特徴とする請求項１記載の出没式筆記具。
【発明の詳細な説明】
【０００１】
【発明の属する技術分野】
本発明は、軸筒に出没可能な筆記体を有し、軸筒の側面に形成した案内溝、或いは、その案内溝と離隔した位置に係止部を設け、前記筆記体の前進・後退により摺動駒がその係止部に係止及び係止解除する出没式筆記具に関するものである。
【０００２】
【従来の技術】
１例として、係止部１１ｂを有する案内溝１１が略軸線方向に延在して画成されたバレル２と、一方に筆記部Ｐが他方にノック部Ｋが形成されたインクタンク３と、インクタンク３を筆記部没入方向に付勢する弾性体７とを備え、前記インクタンク３に設けたクリップ部８の基部８ｂを案内溝１１に嵌挿してなり、前記バレル２の案内溝１１に、上記クリップ部８が移動する際にその移動に抵抗を与えて復帰移動速度を低減する緩衝手段１２を形成してなる出没式筆記具が知られている（特許文献１参照）。
【０００３】
【特許文献１】
特開平７−３２９４８６号公報（特許請求の範囲）
【０００４】
【発明が解決しようとする課題】
しかし、緩衝手段を設けている点では優れているもの、前記案内溝の後端はバレルの開口端から延在しているため、そのバレルの断面はバレルの後端から案内溝に形成した係止部までの区間、常にＣパイプ状になるため、前記弾発体の弾発力が強い場合には、クリップ部の基部が案内溝の後端から飛び出してしまい分解してしまう危険性があった。
そこで本発明では、必要以上に部品点数を増やさずに、上記出没機構を確実に行えるよう十分な耐久性を得ることを目的としている。
【０００５】
【課題を解決するための手段】
本発明は、上記課題に鑑みてなされたものであり、軸筒に形成した案内溝は軸筒後方の開口端から離れた位置に独立に配置できるため、後方開口端と案内溝の後端部の区間、軸筒の断面がＣパイプ状にならず、即ち、切り欠かれた空間部が形成されず、もって、弾発部材の強度を強くした場合でも、摺動駒の基部は案内溝から外れる可能性はなくなり、弾発部材の強度に関わらず、信頼性の高い出没機能を提供することができる。
摺動駒の軸筒への取り付けは、摺動駒の内方部の幅を案内溝幅に対して通過可能あるいは圧入可能に設定し、そして、その摺動駒を適宜回転したり狭着したりして、案内溝の外側から軸筒内へと前記内方部を位置させることができる。
【０００６】
【作用】
軸筒の内側方向への変形が防止されると共に、軸筒の外側方向への変形も防止される。
【０００７】
【実施例】
図１〜図５に本発明の第１実施例について説明する。図１は筆記体２が収納されている状態を示す部分縦断面図である。
軸筒１には弾発部材７を介して後方（図中上側）に移動不能にシール筒部３が段部で係止されセットされている。そのシール筒部３の後方内面には、筆記体２の前方の外壁と密閉を保つための内方リブが形成されている。また、シール蓋４には、３本の細線部５が放射状にしかも等間隔（１２０度間隔）な位置に一体に形成されている。その細線部５の後端はガイド筒６に固定され弾発部材７の付勢により、前記シール蓋４を後方に押し当て、そのシール蓋４とシール筒部３との密閉が保たれている。
軸筒１の先端部は筆記体２の先端が出没可能に摺動する先端開口穴が設けられ、後端は筆記体２を形成する後方部材（尾栓）２ｂを摺動可能に配置できる後端開口穴が設けられている。また、軸筒１の側面には摺動駒９が長手方向に摺動可能で、先端方向に係止部１ｂを形成した案内溝１ａが形成されている。その案内溝１ａの後方は軸筒１の後端開口部と連接されず、案内溝１ａは軸筒１の側面で閉じた窓部を形成している。即ち、案内溝１ａの先端と後端（後端部１ｃ）は、閉塞されているのである。また、案内溝１ａの後端部１ｃは、筆記体２が軸筒１に収納されているときの摺動駒９の係止部ともなり得る。
本実施例は、シール蓋４、シール筒部３及び複数の細線部５などからなる先端密閉機構を例示しているが、勿論、密閉機構を用いない油性ボールペンなどの筆記体２を装着したものに用いても良い。
【０００８】
前記摺動駒９は軸筒１の外側に釦部９ａと案内溝１ａ内を摺動係止する基部９ｂと軸筒１の内側で筆記体２を抱設する内方部９ｃとからなる。
図１では、摺動駒９の基部９ｂの後方が案内溝１ａの後端部１ｃに当接あるいは僅かな隙間をもって配置されている。
図２は筆記体２が突出した状態（筆記状態）を示した部分縦断面図である。摺動駒９の基部９ｂ後方に形成した傾斜部９ｅが、軸筒１の係止部１ｂに係止され筆記状態を保つことができる。この状態で摺動駒９の釦部９ａを長手軸を中心に適宜回転させることにより、摺動駒９の基部９ｂと案内溝係止部１ｂの係止が解除され、筆記体２は収納状態に移ることができる。
図３は、図１のＡ−Ａ断面矢視図であり、摺動駒９の内方部９ｃが筆記体２を抱設し、摺動駒９が略長手軸を中心に回転可能に配置されている。具体的に説明すると、筆記体前方部材２ａと筆記体後方部材（尾栓）２ｂとは螺合よって着脱自在に固定されており、その螺合部分に内方部９ｃが緩着されている。即ち、内方部９ｃは、筆記体前方部材２ａと筆記体後方部材（尾栓）２ｂとによって挟み込まれた状態で筆記体２と一体化しているのである。
図４は主要部品の分解斜視図である。摺動駒９の内方部９ｃは筆記体２を形成する、前方部材（リフィール）２ａと後方部材（尾栓）２ｂで形成される縮径部（本実施例では後方部材２ｂ側）に回転可能に配置されている。
【０００９】
図５は、軸筒１に摺動駒９を取り付ける過程を示した斜視図である。本実施例では内方部９ｃの幅９ｆが軸筒案内溝幅１ｄに対し挿入可能になっており、最初に、筆記体前方部材２ａを軸筒１に挿入し、次いで、摺動駒９を約９０°回転させることにより容易に内方部９ｃを軸筒１内に配置させることができ、その後、摺動駒９を９０°回転させることにより組み立てが完了する。次いで、尾栓２ｂを内方部９ｃに貫通せしめ、そして、尾栓２ｂを筆記体前方部材２ａに螺合・固定させ製品化に至る。
本実施例では内方部９ｃを軸筒１の案内溝１ａの幅に挿入可能にしてあるが、圧入される場合でもよく、また、軸筒１の係止部１ｂ付近の溝幅を大きく形成しこの部分で回転させることによって組み立てできるように内方部９ｃの幅９ｆを選択してもよい。
また、摺動駒９の内方部９ｃは必ずしも閉じている必要もなく、一部を切り欠いたＣリング状（図６参照；第２実施例）、あるいは部分円弧状にしても良い。
【００１０】
図７は、本発明の第３実施例の摺動駒９と軸筒１である。摺動駒９の軸筒１への取り付けは、案内溝１ａの係止部１ｂ付近の幅広部１ｅで内方部９ｃを縮変形させながら嵌め込むことができる。図８は、筆記具に組み上げた状態であって、筆記体２の収納時を示す断面矢視図である。前例のように、摺動駒９を回転させることなく組み立てることができるので、その組立の簡素化が図れる。
図９は、本発明の第４実施例である。本実施例では摺動駒９の釦部９ａにクリップ部９ｈを一体に成形してある。そのクリップ部９ｈのクリップ玉部に係止部９ｉを設け、その係止部９ｉを軸筒１の側面に設けた係止穴１ｈに係合させることで筆記状態に維持することができ、また、係止穴１ｇに係合させることによって収納状態を維持することができる。軸筒１への取り付け方法は実施例１と同様である。
【００１１】
【発明の効果】
本発明は、軸筒の先端に筆記体を出没させる開口を有し、もう一方の端部に開口を有し、軸筒の側面に略軸線方向に係止部を有する案内溝が形成され、その案内溝内を摺動する基部と軸筒の外側に釦部と、軸筒の内側に内方部とを形成した摺動駒が配置された出没式筆記具であって、前記案内溝に対して摺動駒の内方部が挿入あるいは圧入可能に形成されるとともに、案内溝の前部並びに後部が閉塞されているので、弾発部材の強度を強くした場合でも、摺動駒の基部は案内溝から外れる可能性はなくなり、弾発部材の強度に関わらず、信頼性の高い出没機能を提供することができる。
【図面の簡単な説明】
【図１】第１実施例における筆記体収納状態の要部縦断面図である。
【図２】筆記体収納突出状態の要部縦断面図である。
【図３】図２の横断面図である。
【図４】第１実施例における分解斜視図である。
【図５】第１実施例における組立過程を示す要部斜視図である。
【図６】第２実施例における摺動駒の斜視図である。
【図７】第３実施例における組立過程を示す要部斜視図である。
【図８】図７の横断面図である。
【図９】第４実施例における要部分解斜視図である。
【図１０】第４実施例における要部縦断面図である。
【符号の説明】
１  軸筒
１ａ  案内溝
１ｂ  係止部
１ｃ  後端部
１ｄ  案内溝幅
１ｅ  幅広部
１ｆ  面取り部
１ｇ  係止穴
１ｈ  係止穴
２  筆記体
２ａ  筆記体前方部材
２ｂ  筆記体後方部材
３  シール筒部
４  シール蓋
５  細径部
６  ガイド筒
７  弾撥部材
８  クリップ
９  摺動駒
９ａ  釦部
９ｂ  基部
９ｃ  内方部
９ｄ  切り欠き部
９ｅ  傾斜部
９ｆ  内方部幅
９ｇ  面取り部
９ｈ  クリップ部
９ｉ  係止部
【図１】
2004230698.tif 000003
【図２】
2004230698.tif 000004
【図３】
2004230698.tif 000005
【図４】
2004230698.tif 000006
【図５】
2004230698.tif 000007
【図６】
2004230698.tif 000008
【図７】
2004230698.tif 000009
【図８】
2004230698.tif 000010
【図９】
2004230698.tif 000011
【図１０】
2004230698.tif 000012